(57)【要約】【課題】使用途中に第三者が不意に現れるような環境下において、個人使用にかかる特定データが第三者に知られることを防止する表示装置、および表示プログラムを提供する。【解決手段】表示装置１０は、特定ユーザーの個人使用にかかる特定データに基づく表示を行う表示部と、特定ユーザーと、当該特定ユーザー以外の第三者と、を区別して検知する検知部と、検知部により第三者が検知されると、表示部による表示を、特定データが隠された表示に切り替える表示切替部と、を有する。【選択図】図１
2014056345.tif 000002
【特許請求の範囲】
【請求項１】
特定ユーザーの個人使用にかかる特定データに基づく表示を行う表示部と、
前記特定ユーザーと、当該特定ユーザー以外の第三者と、を区別して検知する検知部と、
前記検知部により前記第三者が検知されると、前記表示部による表示を、前記特定データが隠された表示に切り替える表示切替部と、を有する表示装置。
【請求項２】
前記表示切替部は、前記検知部により前記第三者が検知されなくなると、前記表示部による表示を、前記第三者が検知される直前の状態に戻す請求項１に記載の表示装置。
【請求項３】
前記表示切替部は、前記検知部により検知されていた前記特定ユーザーが検知されなくなると、前記表示部による表示を、前記特定データが隠された表示に切り替える請求項１または２に記載の表示装置。
【請求項４】
前記表示切替部は、前記検知部により検知されていなかった前記特定ユーザーが検知されるようになると、前記表示部による表示を、前記特定データが隠された状態から隠さない表示に切り替える請求項３に記載の表示装置。
【請求項５】
前記表示切替部は、前記第三者の当該表示装置への接近距離に応じて、段階的に前記特定データが隠された表示に切り替える請求項１〜４のいずれか１項に記載の表示装置。
【請求項６】
前記表示切替部は、特定アプリケーションまたは特定サイトへのログイン状態を、見かけ上ログアウトした状態にすることによって、前記特定データが隠された表示に切り替える請求項１〜５のいずれか１項に記載の表示装置。
【請求項７】
前記特定データは、操作履歴、視聴履歴、閲覧履歴、表示中のＷＥＢページ、視聴中のコンテンツ、利用中のアプリケーション、再生中の録画コンテンツ、および、個人情報の少なくともいずれかを含む請求項１〜６に記載の表示装置。
【請求項８】
複数のチューナーを有し、
前記表示切替部は、前記特定データが隠された表示に切り替える際には、表示中のデジタル放送とは別のチューナーで選局されたチャンネルのデジタル放送によって当該特定データを隠す請求項１〜７のいずれか１項に記載の表示装置。
【請求項９】
特定ユーザーの個人使用にかかる特定データに基づく表示を行う表示装置として機能するコンピューターに、
前記特定ユーザーと、当該特定ユーザー以外の第三者と、を区別して検知する検知ステップと、
前記検知ステップにより前記第三者が検知されると、前記表示装置における表示を、前記特定データが隠された表示に切り替える表示切替ステップと、を実行させる表示プログラム。
【請求項１０】
前記表示切替ステップは、前記検知ステップにより前記第三者が検知されなくなると、前記表示装置における表示を、前記第三者が検知される直前の状態に戻す請求項９に記載の表示プログラム。
【請求項１１】
前記表示切替ステップは、前記検知ステップにより検知されていた前記特定ユーザーが検知されなくなると、前記表示装置における表示を、前記特定データが隠された表示に切り替える請求項９または１０に記載の表示プログラム。
【請求項１２】
前記表示切替ステップは、前記検知部により検知されていなかった前記特定ユーザーが検知されるようになると、前記表示装置における表示を、前記特定ユーザーが検知されなくなる直前の状態に戻す請求項１１に記載の表示プログラム。
【請求項１３】
前記表示切替ステップは、前記第三者の当該表示装置への接近距離に応じて、段階的に前記特定データが隠された表示に切り替える請求項９〜１２のいずれか１項に記載の表示プログラム。
【請求項１４】
前記表示切替ステップは、特定アプリケーションまたは特定サイトへのログイン状態を、見かけ上ログアウトした状態にすることによって、前記特定データが隠された表示に切り替える請求項９〜１３のいずれか１項に記載の表示プログラム。
【請求項１５】
前記特定データは、操作履歴、視聴履歴、閲覧履歴、表示中のＷＥＢページ、視聴中のコンテンツ、利用中のアプリケーション、再生中の録画コンテンツ、および、個人情報の少なくともいずれかを含む請求項９〜１４に記載の表示プログラム。
【請求項１６】
前記表示装置は、複数のチューナーを有し、
前記表示切替ステップは、前記特定データが隠された表示に切り替える際には、表示中のデジタル放送とは別のチューナーで選局されたチャンネルのデジタル放送によって当該特定データを隠す請求項９〜１５のいずれか１項に記載の表示プログラム。
【発明の詳細な説明】
【技術分野】
【０００１】
本発明は、表示装置、および表示プログラムに関する。
【背景技術】
【０００２】
本来、テレビジョン受像機（以下「テレビ」ともいう）は、複数人で視聴される、いわゆるファミリーユースの機器である。しかし、近年、テレビの機能は多様化され、さまざまな用途で使用されるようになっている。これに伴い、個人使用にかかる特定データも扱う、いわゆるパーソナルユースの機器として使用されることもある。そこで、近年では、テレビを個人使用する各ユーザーのプライバシーを守ることも重要な課題になっている。
【０００３】
このような状況下において、ファミリーユースであるカーナビゲーション装置が個人使用される場合に、各ユーザーのプライバシーを守る技術が開発されている。たとえば、特許文献１に記載の技術では、特定ユーザー以外の第三者が存在するか否かに応じて、モニターに表示する内容を異ならせている。具体的には、電話の着信があったとき、車内に第三者が存在しない場合には、通信相手の名前や電話番号を表示させるが、第三者が存在する場合には、着信があったことを示す情報しか表示させない。このようにして、ファミリーユースであるカーナビゲーション装置が個人使用される場合でも、各ユーザーのプライバシーを守ることができる。
【先行技術文献】
【特許文献】
【０００４】
【特許文献１】特開２００９−８８９６０号公報
【発明の概要】
【発明が解決しようとする課題】
【０００５】
しかし、特許文献１に記載の技術は、車内で使用されることが前提となっているため、カーナビゲーション装置の使用途中に、新たな第三者が現れることはない。
【０００６】
一方、テレビの場合は、通常、人の出入りがある環境で使用されるため、テレビの使用途中に、不意に第三者が現れるときもある。このとき、個人使用のための特定データが、第三者に知られてしまう、という問題がある。
【０００７】
本願発明は、上記事情に鑑みてなされたものであり、使用途中に第三者が不意に現れるような環境下においても、個人使用にかかる特定データが第三者に知られることを防止する表示装置、および表示プログラムを提供することを目的とする。
【課題を解決するための手段】
【０００８】
上記課題を解決するために、本発明に係る表示装置は、特定ユーザーの個人使用にかかる特定データに基づく表示を行う表示部と、前記特定ユーザーと、当該特定ユーザー以外の第三者と、を区別して検知する検知部と、前記検知部により前記第三者が検知されると、前記表示部による表示を、前記特定データが隠された表示に切り替える表示切替部と、を有する。
【発明の効果】
【０００９】
本発明によれば、テレビの使用途中に第三者を検知したときには、個人使用のための特定データを隠すようにしている。これにより、テレビの使用途中に第三者が不意に現れるような環境下においても、個人使用にかかる特定データが第三者に知られることを防止で
きる。
【００１０】
上記した以外の課題、構成、および効果は、以下の実施形態の説明により明らかにされる。
【図面の簡単な説明】
【００１１】
【図１】表示装置の概略構成を示すブロック図である。
【図２】制御部のハードウェア構成の一例を示すブロック図である。
【図３】画面切替処理の手順を示すフローチャートである。
【図４】画面切替処理に従って遷移するディスプレイの画面例１（パブリックモード）を示す図である。
【図５】画面切替処理に従って遷移するディスプレイの画面例２（警戒モード）を示す図である。
【図６】画面切替処理に従って遷移するディスプレイの画面例３（遷移中画面）を示す図である。
【図７】画面切替処理に従って遷移するディスプレイの画面例４（プライバシー保護モード）を示す図である。
【図８】画面例３（遷移中画面）の変形例１を示す図である。
【図９】画面例４（プライバシー保護モード）の変形例１を示す図である。
【図１０】画面例３（遷移中画面）の変形例２を示す図である。
【図１１】画面例４（プライバシー保護モード）の変形例２を示す図である。
【発明を実施するための形態】
【００１２】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００１３】
＜表示装置１０＞
図１は、本実施形態にかかる表示装置１０の概略構成の一例を示すブロック図である。また、図２は、制御部１７のハードウェア構成の一例を示すブロック図である。
【００１４】
以下、図１、図２を参照して、表示装置１０の概略構成について説明する。
【００１５】
表示装置１０は、デジタル放送を受信可能であって、液晶ディスプレイ等のディスプレイに放送番組の映像を表示するテレビジョン受像機（いわゆる「テレビ」）である。一般的に、テレビは、リビングルーム等に設置されて複数の人が同時に視聴可能なように設計されており、いわゆるファミリーユースの機器と言える。
【００１６】
図１に示されるとおり、表示装置１０は、放送受信機１１、デコード処理部１２、映像処理部１３、音声処理部１４、ディスプレイ１５、スピーカー１６、制御部１７、特定データ保存部２１、操作検知部２２、ネットワークインターフェース２３、カメラ２４、マイクロフォン２５、各種センサー２６、を有し、これらは信号をやり取りするためのバス等を介して相互に接続されている。
【００１７】
放送受信機１１は、たとえば、アンテナ、チューナー、復調器などにより構成される。アンテナは、放送局から送信された放送電波を受信するための地上デジタル放送あるいは衛星デジタル放送用のアンテナである。チューナーは、地上デジタル放送、衛星デジタル放送、ケーブルテレビ放送等の放送信号の中から所望のチャンネルの放送信号を選局する。チューナーは、複数のチューナーユニットから構成されており、同時に複数の放送を受信できる。復調器は、各々のデジタル放送の変調方式に対応して復調する。たとえば、地
上デジタル放送の信号は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調方式によってＭＰＥＧ（Ｍｏｖｉｎｇ  Ｐｉｃｔｕｒｅ  Ｅｘｐｅｒｔｓ  Ｇｒｏｕｐ）−ＴＳ（Ｔｒａｎｓｐｏｒｔ  Ｓｔｒｅａｍ）データに復調される。また、衛星デジタル放送の信号は、ＰＳＫ（Ｐｈａｓｅ  Ｓｈｉｆｔ  Ｋｅｙｉｎｇ）復調方式によってＭＰＥＧ−ＴＳデータに復調される。
【００１８】
デコード処理部１２は、ＭＰＥＧデコーダー、映像音声デコーダー等の機能を有する。デコード処理部１２は、放送受信機１１の復調器で復調されたＭＰＥＧ−ＴＳデータを、セクション化してデコードする。たとえば、デコード処理部１２は、映像ＰＥＳ（Ｐａｃｋｅｔｉｚｅｄ  Ｅｌｅｍｅｎｔａｌｙ  Ｓｔｒｅａｍ）に対しては映像ＥＳ（Ｅｌｅｍｅｎｔａｌｙ  Ｓｔｒｅａｍ）化、音声ＰＥＳに対しては音声ＥＳ化を行って映像データ及び音声データを生成する。
【００１９】
映像処理部１３は、デコード処理部１２で生成された映像データを、ディスプレイ１５で表示可能なフォーマット（画素数、フレーム周波数、走査方式）に変換し、ディスプレイ１５に表示させる。また、映像処理部１３は、インターネットを介して取得されたデジタルデータを、デコード処理部１２からの映像データに重ねて、ディスプレイ１５に表示させることもできる。なお、インターネットを介して取得可能なデジタルデータは、ＷＥＢページ、画像データ、動画データ、ストリーミングデータ、各種アプリケーションデータなど、一般的なＰＣ（パーソナルコンピューター）でインターネットから取得可能なデータである。
【００２０】
音声処理部１４は、デコード処理部１２で生成された音声データを、スピーカー１６で再生可能な音声信号に変換し、スピーカー１６に再生させる。
【００２１】
ディスプレイ１５は、映像処理部１３で生成されたデータ、すなわち、受信されたデジタル放送に基づく映像データや、インターネットを介して取得されたデジタルデータを表示する。ディスプレイ１４には、たとえば、液晶ディスプレイ、有機ＥＬ（Ｅｌｅｃｔｒｏ−Ｌｕｍｉｎｅｓｃｅｎｃｅ）等が採用される。
【００２２】
スピーカー１６は、音声処理部１４で生成された音声信号を出力する。
【００２３】
制御部１７は、表示装置１０全体を制御する。たとえば、制御部１７は、表示制御部１８と、認識部１９と、データ管理部２０と、を有している。
【００２４】
表示制御部１８は、ディスプレイ１５における表示を制御する。たとえば、表示制御部１８は、放送受信機１１、デコード処理部１２、映像処理部１３を一括して制御し、放送局から送信されたデジタル放送をディスプレイ１５に表示させる。また、表示制御部１８は、後述するネットワークＩ／Ｆ２３を介して、インターネット上で提供されている各種デジタルデータを取得し、ディスプレイ１５に表示させることもできる。
【００２５】
なお、ディスプレイ１５に表示されるデータには、特定のユーザーが個人的に使用するためのデータ（以下では「特定データ」とよぶ）が含まれていることもある。たとえば、特定データには、ＳＮＳ（ソーシャル・ネットワーク・サービス）の利用に必要なデータ、インターネット電話サービスの利用に必要なデータ、個人利用のための写真や動画、操作履歴、特定サービスへのログイン情報、キーワードの入力履歴、検索サイトでの検索履歴、ＷＥＢページの閲覧履歴、クレジットカード番号や暗証番号等の個人情報などが含まれる。このような特定データをディスプレイ１５に表示させているときに不意に第三者が現れると、個人使用のための特定データが第三者に知られてしまう。そこで、表示制御部１８は、第三者の存在が検知されたときには、個人使用のための特定データが隠された表
示に切り替える。
【００２６】
認識部１９は、表示装置１０の近傍に存在する人を検知し、表示装置１０を利用中のユーザー（以下では「特定ユーザー」ともいう）、すなわち、デジタル放送を視聴中のユーザーと、それ以外の第三者と、を区別して認識する。たとえば、認識部１９は、デジタル放送を表示させている間に、表示装置１０の近傍に存在し続けている人がいれば、その人を視聴中のユーザー（特定ユーザー）として認識する。一方、認識部１９は、視聴中のユーザーが認識された後に、表示装置１０の近傍で別の人が検知されると、その人を第三者として認識する。ただし、特定ユーザーと第三者を区別する方法は、これに限られず、他の方法であってもよい。たとえば、特定ユーザーとなり得るユーザーを予め表示装置１０に登録しておき、登録されていないユーザーは全て第三者として認識するようにしてもよい。
【００２７】
データ管理部２０は、表示装置１０を利用したことがあるユーザーごとに、個人使用のための特定データを管理する。たとえば、データ管理部２０は、ＳＮＳの利用に必要なデータ、インターネット電話サービスの利用に必要なデータ、個人利用のための写真や動画、操作履歴、特定サービスへのログイン情報、キーワードの入力履歴、検索サイトでの検索履歴、ＷＥＢページの閲覧履歴、クレジットカード番号や暗証番号等の個人情報、をユーザーごとにまとめて管理する。
【００２８】
特定データ保存部２１は、個人使用のための特定データを保存しておく。
【００２９】
操作検知部２２は、操作機器（不図示）から送信される操作信号を受信し、ユーザーの操作を検知する。操作機器は、たとえば、赤外線あるいはＢｌｕｅｔｏｏｔｈ（登録商標）等による無線通信を利用したリモートコントローラー、有線式あるいは無線式キーボード等である。
【００３０】
ネットワークインターフェース（Ｉ／Ｆ）２３は、外部機器（たとえば、ＷＥＢページや各種アプリケーションを提供するサーバー）とネットワークを介して通信するためのインターフェースであり、イーサネット（登録商標）、トークンリング、ＦＤＤＩ等の規格が用いられる。
【００３１】
カメラ２４は、一般的な撮像装置であり、デジタル放送を視聴している特定ユーザー（特に、顔）や、特定ユーザー以外の第三者を、正面から撮影する。
【００３２】
マイクロフォン２５は、デジタル放送を視聴している特定ユーザー以外の第三者から発された声や足音などの音声を取得する。
【００３３】
各種センサー２６は、赤外線カメラ、赤外線サーモグラフィ、人感センサー、等のセンサーを含み、デジタル放送を視聴している特定ユーザーや第三者の検知に利用される。
【００３４】
なお、上記の制御部１７は、ＣＰＵ（Ｃｅｎｔｒａｌ  Ｐｒｏｃｅｓｓｉｎｇ  Ｕｎｉｔ）１７１がストレージ１７３にインストールされているＯＳやプログラムをメモリー１７２に読み出して実行することにより実現される。
【００３５】
たとえば、図２に示されるとおり、ＣＰＵ１７１、メモリー１７２、ストレージ１７３は、それぞれ、信号をやり取りするためのバス１７４を介して相互に接続されている。
【００３６】
ＣＰＵ１７１は、プログラムにしたがって上記各部の制御や各種の演算処理を実行するマルチコアのプロセッサ等から構成される制御回路であり、制御部１７の各機能は、それ
に対応するプログラムをＣＰＵ１７１が実行することにより発揮される。
【００３７】
メモリー１７２は、作業領域として一時的にプログラムおよびデータを記憶する高速アクセス可能な主記憶装置である。メモリー１７２には、たとえば、ＤＲＡＭ（Ｄｙｍａｍｉｃ  Ｒａｎｄｏｍ  Ａｃｃｅｓｓ  Ｍｅｍｏｒｙ）、ＳＤＲＡＭ（Ｓｙｎｃｈｒｏｎｏｕｓ  Ｄｙｍａｍｉｃ  Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）等が採用される。
【００３８】
ストレージ１７３は、オペレーティングシステムを含む各種プログラムや各種データを格納する大容量の補助記憶装置である。ストレージ１７３には、たとえば、フラッシュメモリー、ソリッドステートドライブ、ハードディスク等が採用される。
【００３９】
また、上記のデコード処理部１２、映像処理部１３、音声処理部１４も同様に、ＣＰＵ１７１がストレージ１７３にインストールされているＯＳやプログラムをメモリー１７２に読み出して実行することにより実現される。もちろん、これに限らず、ＣＰＵ１７１以外の専用のハードウェア回路によっても実現できる。
【００４０】
また、特定データ保存部２１は、ストレージ１７３によって実現される。
【００４１】
次に、表示装置１０の動作について説明する。
【００４２】
＜画面切替処理＞
図３は、表示装置１０で実行される画面の切り替え処理（以下では「画面切替処理」とよぶ）の手順を示すフローチャートである。また、図４〜７は、それぞれ、画面切替処理に従って遷移するディスプレイ１６の画面例を示す図である。
【００４３】
たとえば、表示装置１０は、電源が投入されたときに、図３に示す画面切替処理を開始する。
【００４４】
画面切替処理が開始されると、表示装置１０は、表示制御部１８として機能し、放送受信機１１、デコード処理部１２、映像処理部１３を制御することによって、放送局から送信されたデジタル放送を受信してディスプレイ１５に表示させる（Ｓ１０１）。なお、Ｓ１０１でディスプレイ１５に表示される画面は、全てのユーザー向け（以下では「パブリックモード」という）の画面と言える。
【００４５】
このようなパブリックモードでの表示中において、表示装置１０は、個人使用のための特定データを表示させる指示がなされたか否か判別する（Ｓ１０２）。たとえば、表示装置１０は、操作検知部２２を介して、ＳＮＳを開始する指示を受け付けると、個人使用のための特定データを表示させる指示がなされたと判定する。もちろん、特定データを表示させる指示は、ＳＮＳを開始する指示に限られず、Ｓｋｙｐｅ（登録商標）等のインターネット電話サービスを開始する指示、個人利用のための写真や動画を閲覧するアプリケーションを開始する指示、操作履歴を表示する指示、特定サービスへのログイン情報を表示する指示、キーワードの入力履歴を表示する指示、検索サイトでの検索履歴を表示する指示、ＷＥＢページの閲覧履歴を表示する指示、クレジットカード番号や暗証番号等の個人情報を表示する指示、などでもよい。また、上記のいずれの指示も受け付けていない場合には、特定データを表示させる指示はなされていないと判定する。
【００４６】
そして、表示装置１０は、特定データを表示させる指示がなされていないと判定された場合には（Ｓ１０２：Ｎｏ）、当該指示がなされるまで、パブリックモードでの表示を継続する。一方、表示装置１０は、特定データを表示させる指示がなされたと判定された場
合には（Ｓ１０２：Ｙｅｓ）、ユーザーに要求された特定データを、ネットワークＩ／Ｆ２３を介して取得、あるいは特定データ保存部２１から取得する。そして、表示装置１０は、映像処理部１３を制御して、取得された特定データを、ディスプレイ１５に表示中のデジタル放送に重ねて表示させる（Ｓ１０３）。なお、Ｓ１０３でディスプレイ１５に表示される画面は、デジタル放送を視聴中の特定ユーザー向け（以下では「プライベートモード」という）の画面と言える。
【００４７】
Ｓ１０３のプライベートモードでは、たとえば、図４に示されるように、デジタル放送を表示する全ユーザー向け領域５１と、個人利用のための特定データ（ＳＮＳ用の画面等）を表示する特定ユーザー向け領域５２と、がディスプレイ１５上に表示される。
【００４８】
このようなプライベートモードでの表示中において、表示装置１０は、デジタル放送を視聴中の特定ユーザー以外の第三者が、表示装置１０に接近している可能性があるか否か簡易的に判別する（Ｓ１０４）。たとえば、表示装置１０は、認識部１９として機能し、マイクロフォン２５を用いて、第三者から発された声や足音などの音声を取得する。このとき、表示装置１０のスピーカー１６から出力されている音声とは異なる（たとえば、スピーカー１６の出力音声より大きい）音声が取得された場合には、第三者が表示装置１０に接近している可能性があると判定する。また、スピーカー１６から出力されている音声と異なる音声を取得できない場合には、誰も表示装置１０へは接近していないと判定する。
【００４９】
そして、表示装置１０は、誰も表示装置１０へは接近していないと判定された場合には（Ｓ１０４：Ｎｏ）、そのままプライベートモードでの表示を継続する。一方、表示装置１０は、第三者が表示装置１０に接近している可能性があると判定された場合には（Ｓ１０４：Ｙｅｓ）、表示制御部１８として機能し、ディスプレイ１５に表示中の特定ユーザー向け領域５２の表示を半透明にする（Ｓ１０５）。これにより、特定ユーザー向け領域５２に表示されている個人利用のための特定データは見えにくくなり、遠い位置から第三者に特定データを見られることはない。なお、Ｓ１０５でディスプレイ１５に表示される画面は、個人使用のための特定データを表示しながらも第三者の接近を警戒している（以下では「警戒モード」とよぶ）画面と言える。
【００５０】
Ｓ１０５の警戒モードでは、たとえば、図５に示されるように、デジタル放送を通常通り表示する全ユーザー向け領域５１と、半透明化された特定ユーザー向け領域５３と、がディスプレイ１５上に表示される。
【００５１】
このような警戒モードでの表示中において、表示装置１０は、デジタル放送を視聴中の特定ユーザー以外の第三者が、表示装置１０に接近しているか否か本格的に判別する（Ｓ１０６）。たとえば、表示装置１０は、認識部１９として機能し、カメラ２４を用いて撮影を行う。このとき、撮影によって得られた画像内に、特定ユーザー以外の人が存在する場合には、表示装置１０に接近している第三者がいると判定する。また、撮影によって得られた画像内に、特定ユーザーしか存在しない場合には、表示装置１０に接近している第三者がいないと判定する。
【００５２】
そして、表示装置１０は、接近している第三者がいないと判定された場合には（Ｓ１０６：Ｎｏ）、特定ユーザー向け領域５３の半透明化をやめ、プライベートモードでの表示に戻す。一方、表示装置１０は、接近している第三者がいると判定された場合には（Ｓ１０６：Ｙｅｓ）、表示制御部１８として機能し、デジタル放送を表示している全ユーザー向け領域５１を、全画面表示へと徐々に遷移させる（Ｓ１０７）。その結果、ディスプレイ１５上では、半透明化された特定ユーザー向け領域５３は消滅し、デジタル放送を表示している全ユーザー向け領域５１が全画面を占めるようになる。
【００５３】
なお、Ｓ１０７での画面遷移は、図６に示されるように、第三者からみて自然な画面遷移となるようトランジション効果を伴わせている。また、Ｓ１０７で最終的にディスプレイ１５に表示される画面は、個人使用に利用するための特定データが第三者に見られないように隠された（以下では「プライバシー保護モード」とよぶ）画面と言える。
【００５４】
Ｓ１０７のプライバシー保護モードでは、たとえば、図７に示されるように、デジタル放送を表示している全ユーザー向け領域５１が全画面表示され、個人使用のための特定データは隠される。
【００５５】
このようなプライバシー保護モードでの表示中において、表示装置１０は、デジタル放送を視聴中の特定ユーザー以外の第三者が、表示装置１０から離れたか否か判別する（Ｓ１０８）。たとえば、表示装置１０は、認識部１９として機能し、カメラ２４を用いて撮影する。このとき、撮影によって得られた画像内に、特定ユーザーしか存在しない場合には、第三者が表示装置１０から離れたと判定する。また、撮影によって得られた画像内に、特定ユーザー以外の第三者が存在する場合には、第三者は表示装置１０から離れていないと判定する。
【００５６】
そして、表示装置１０は、第三者が表示装置１０から離れていないと判定された場合には（Ｓ１０８：Ｎｏ）、そのままプライバシー保護モードでの表示を継続する。一方、表示装置１０は、第三者が表示装置１０から離れたと判定された場合には（Ｓ１０８：Ｙｅｓ）、特定データを隠しておく必要がなくなるため、表示制御部１８として機能し、Ｓ１０１のパブリックモードでの表示（第三者が検知される直前の状態）に戻す。
【００５７】
なお、上記のＳ１０１〜Ｓ１０８の途中に、ユーザーから電源オフの指示を受け付けた場合には、表示装置１０は、その指示を最優先して画面切替処理を強制的に終了させる。
【００５８】
以上の画面切替処理が表示装置１０で実行されることによって、テレビの使用途中に第三者を検知したときには、個人使用のための特定データを隠すことができる。これにより、テレビの使用途中に第三者が不意に現れるような環境下においても、個人使用にかかる特定データが第三者に知られることを防止できる。
【００５９】
また、プライベートモードから警戒モード、警戒モードからプライバシー保護モードへと遷移させることにより、第三者の表示装置１０への接近距離に応じて、段階的に特定データを隠すようにできる。ところで、プライバシー保護モードは、特定データを完全に隠すため、プライベートモードとは画面構成が異なり、プライバシー保護モードからプライベートモードへ戻す処理には時間を要する。これに対して、警戒モードは、特定データを半透明に表示しているだけなので、警戒モードからプライベートモードへ戻すのは容易である。この点に注目し、上記実施形態では、警戒モードを設け、警戒モードの段階で表示装置１０に接近している第三者がいないことがはっきりすれば、即座にプライベートモードへ戻している。このようにすれば、第三者が表示装置１０の近くで少し物音をたてただけで、プライバシー保護モードになることはなく、ユーザーは快適に表示装置１０を個人利用できる。
【００６０】
なお、上記した各フローチャートの各処理単位は、表示装置１０の理解を容易にするために、主な処理内容に応じて分割したものである。処理ステップの分類の仕方やその名称によって、本願発明が制限されることはない。表示装置１０で行われる処理は、さらに多くの処理ステップに分割することもできる。また、１つの処理ステップが、さらに多くの処理を実行してもよい。
【００６１】
＜変形例＞
また、上記の実施形態は、本発明の要旨を例示することを意図し、本発明を限定するものではない。多くの代替物、修正、変形例は当業者にとって明らかである。
【００６２】
たとえば、上記実施形態では、プライバシー保護モードにおいて、受信しているデジタル放送を全画面表示することによって、個人使用にかかる特定データを隠している。しかし、本発明は、これに限定されず、他の方法によって特定データを隠すようにしてもよい。
【００６３】
たとえば、特定のＷＥＢページ（ブラウザ５４）で覆うことによって、特定データを隠すようにしてもよい（変形例１）。
【００６４】
図８、図９は、特定のＷＥＢページで特定データを隠す場合の画面遷移例を示す図である。警戒モードからプライバシー保護モードへ遷移させる際には、図８に示されるとおり、表示装置１０は、警戒モードにおいて半透明化されている特定ユーザー向け領域５３に、特定のＷＥＢページを表示しているブラウザ５４を透明な状態から徐々に濃く表示させる。その結果、最終的には、図９に示されるように、半透明化された特定ユーザー向け領域５３に代わって、特定のＷＥＢページ（たとえば、検索サイト等）を表示しているブラウザ５４が表示されるようになる。
【００６５】
また、放送受信機１１は複数のチューナーを備えているので、全ユーザー向け領域５１に表示しているデジタル放送とは別のチャンネルのデジタル放送５５によって、個人使用にかかる特定データを隠すようにしてもよい（変形例２）。
【００６６】
図１０、図１１は、全ユーザー向け領域５１に表示しているデジタル放送とは別のチャンネルのデジタル放送５５で特定データを隠す場合の画面遷移例を示す図である。警戒モードからプライバシー保護モードへ遷移させる際には、図１０に示されるとおり、表示装置１０は、全画面にわたって、全ユーザー向け領域５１に表示しているデジタル放送とは別のチャンネルのデジタル放送（たとえば、ニュース番組等）５５を、透明な状態から徐々に濃く表示させる。その結果、最終的には、図１１に示されるように、全ユーザー向け領域５１に表示されているデジタル放送、および半透明化された特定ユーザー向け領域５３は消滅し、第三者に見られてもよいデジタル放送５５が全画面を占めるようになる。
【００６７】
また、上記実施形態では特に触れていないが、デジタル放送を視聴中の特定ユーザーが、表示装置１０から離れる場合もある。この場合、すなわち、認識部１９によってデジタル放送を視聴中の特定ユーザーが認識（検知）できなくなると、表示装置１０は、表示制御部１８として機能し、ディスプレイ１５の表示を、特定データが隠された表示に切り替える。これにより、ユーザーが表示装置１０から離れている間に、第三者が表示装置１０の前に現れても、特定データが見られることはない。
【００６８】
また、特定ユーザーが表示装置１０から一旦離れ、それからまた表示装置１０の前に戻ってくる場合もある。この場合、すなわち、認識部１９により認識（検知）できなくなっていた特定ユーザーが認識されるようになると、表示装置１０は、表示制御部１８として機能し、ディスプレイ１５の表示を、特定データが隠された状態から隠さない表示に切り替える。これにより、ユーザーは、表示装置１０の前に戻ってきてすぐに、プライベートモードで表示装置１０を利用できる。
【００６９】
また、特定のアプリケーションまたは特定のサイトへのログイン状態を、見かけ上ログアウトした状態にすることによって、特定データが隠された表示に切り替えてもよい。
【００７０】
また、上記実施形態では、プライベートモードから警戒モード、プライバシー保護モードへと段階的に画面を遷移させている。しかし、本発明は、これに限定されず、第三者が表示装置１０へ接近してきたときは、プライベートモードからプライバシー保護モードへ直接画面遷移させてもよい。
【００７１】
また、上記画面切替処理のＳ１０６では、カメラ２４を用いて表示装置１０へ接近している第三者がいるかどうか判断している。しかし、本発明は、これに限定されず、赤外線カメラ、赤外線サーモグラフィ、人感センサー等の各種センサー２６のセンシング結果を用いて総合的に判断してもよい。
【００７２】
また、上記実施形態では、全ユーザー向け領域５１にはデジタル放送を表示しているが、これに限定されるものではない。たとえば、全ユーザー向け領域５１には、第三者に見られても問題ない画面であれば、ビデオ、ＤＶＤ、ＢＤ等の再生映像であってもよいし、写真、動画、ストリーミング、ＷＥＢページ等の表示画面、ゲームや各種アプリケーションの実行画面などであってもよい。
【００７３】
また、上記実施形態では、特定ユーザー向け領域５２に表示する個人利用のための特定データの例として、ＳＮＳ用の画面を挙げている。本発明は、これに限らず、第三者に見られたくない画面、たとえば、ビデオ、ＤＶＤ、ＢＤ等の再生映像や、写真、動画、ストリーミング、ＷＥＢページ等の表示画面、ゲームや各種アプリケーションの実行画面などであってもよい。
【００７４】
また、表示装置１０は、ファミリーユースの機器であればテレビに限られず、たとえば、映像を大型スクリーンに投影するプロジェクター等の機器であってもよい。
【００７５】
以上の表示装置１０の構成は、上記の実施形態の特徴を説明するにあたって主要構成を説明したのであって、上記の構成に限られない。また、一般的な表示装置１０が備える構成を排除するものではない。
【００７６】
また、上記した表示装置１０の各機能構成は、各機能構成を理解容易にするために、主な処理内容に応じて分類したものである。構成要素の分類の仕方や名称によって、本願発明が制限されることはない。各機能構成は、処理内容に応じて、さらに多くの構成要素に分類することもできる。また、１つの構成要素がさらに多くの処理を実行するように分類することもできる。
【００７７】
また、表示装置１０を動作させるプログラムは、ＵＳＢメモリー、フロッピー（登録商標）ディスク、ＣＤ−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、メモリー１７２やストレージ１７３等に転送され記憶される。また、このプログラムは、たとえば、単独のアプリケーションソフトとして提供されてもよいし、表示装置１０の一機能としてその装置のソフトウェアに組み込んでもよい。
【符号の説明】
【００７８】
１０  表示装置、
１１  放送受信機、
１２  デコード処理部、
１３  映像処理部、
１４  音声処理部、
１５  ディスプレイ、
１６  スピーカー、
１７  制御部、
１８  表示制御部、
１９  認識部、
２０  データ管理部、
２１  特定データ保存部、
２２  操作検知部、
２３  ネットワークインターフェース、
２４  カメラ、
２５  マイクロフォン、
２６  各種センサー、
５１  全ユーザー向け領域、
５２  特定ユーザー向け領域、
５３  特定ユーザー向け領域（半透明）、
５４  ブラウザ、
５５  別チャンネルのデジタル放送、
１７１  ＣＰＵ、
１７２  メモリー、
１７３  ストレージ。
【図１】
2014056345.tif 000003
【図２】
2014056345.tif 000004
【図３】
2014056345.tif 000005
【図１１】
2014056345.tif 000006
【図４】
2014056345.tif 000007
【図５】
2014056345.tif 000008
【図６】
2014056345.tif 000009
【図７】
2014056345.tif 000010
【図８】
2014056345.tif 000011
【図９】
2014056345.tif 000012
【図１０】
2014056345.tif 000013